(57)【特許請求の範囲】
【請求項１】
冷媒回路の一部を構成する、圧縮機、非利用側熱交換器、冷媒絞り装置、前記非利用側熱交換器に送風する室外送風機、ならびに、前記圧縮機、前記冷媒絞り装置、および前記室外送風機を制御するマイコン搭載の室外機制御機器を備えた複数台の室外機と、
前記冷媒回路の一部を構成する、利用側熱交換器、前記利用側熱交換器に室内空気を送風する室内送風機、前記室内送風機を制御するマイコン搭載の室内機制御機器、および、前記室内送風機が送風する空気の温度を検出して温度信号を送信する吸込空気温度検出手段とを備えた室内機とを接続して成り、
システム内部での運転操作指令、運転状態表示、温度検知等に係る信号を前記室内機制御機器に入出力するシステム内信号入出力手段を有する空気調和システムにおいて、
システム外部からの運転操作指令、運転状態表示、温度検知等に係る信号を前記室内機制御機器に入出力するシステム外信号入出力手段を設け、
また、前記室内機制御機器には、前記複数台の室外機と通信接続可能な室内側接続ポートと、前記室内機に接続された室外機の台数または冷媒回路数に応じた数で設置された外部温度検出手段から、検出した温度を高低により段階的に表した温度信号を取り込むように設けられた複数の外部取込ポートと、前記外部取込ポートに取り込まれた温度信号の検知パターンに基づいて、前記複数台の室外機のうち、運転を行わせる室外機を決定し、決定した前記室外機の前記室外機制御機器に運転動作信号を送って前記冷媒回路の容量制御を行う室外機制御手段とを設け、
前記室外機制御機器には、室内機と通信接続可能な室外側接続ポートを設け、
前記室内側接続ポートと前記室外側接続ポートとを連結する連絡配線とを設けたことを特徴とする空気調和システム。
【請求項２】
前記室内機制御機器は、前記冷媒回路の容量制御を行うとともに、吸込空気温度検出手段から送信された温度信号に基づいて、前記室内機における運転状態を監視することを特徴とする請求項第１項に記載の空気調和システム。
【請求項３】
外部温度検出手段が外部取込ポートに正しく接続されているか否かを判定する接続判定手段を備えていることを特徴とする請求項第２項に記載の空気調和システム。
【請求項４】
電源装置を、室外機と室内機の各々に設けたことを特徴とする請求項第１項から請求項第３項のいずれか一項に記載の空気調和システム。
【請求項５】
複数の室外機と室内機を集中管理する集中管理制御機器と接続するための接続ポートを、室内機制御機器に設けたことを特徴とする請求項第１項から請求項第４項のいずれか一項に記載の空気調和システム。
【発明の詳細な説明】
【０００１】
【発明の属する技術分野】
本発明は、冷媒圧縮式の冷媒回路を有し、冷房、暖房等を行う直膨式空気調和システムの室外機と室内機の構造等に関するものである。
【０００２】
【従来の技術】
図１０は従来の店舗用パッケージエアコンのシステム構成を示す概略構成図である。図において、１は室外機、２は室外機１に設けられたマイクロコンピュータ（以下、マイコンと略称する）を搭載した基板からなる室外機制御機器、３は室内機、４ａは室内機３に設けられたマイコン搭載基板からなる室内機制御機器、５は室外機制御機器２と室内機制御機器４ａとを接続する通信用または電源用の接続配線を示す。室内機３は室外機１とセットでパッケージエアコンシステムを構成する。６は電源用配線、７は電源装置であり、パッケージエアコンの冷媒回路を構成する圧縮機８、室外送風機９ａ、室内送風機９ｂ等といった動作機器の電源や、室外機制御機器２、室内機制御機器４ａといった制御機器用の電源を室外機１の一個所から供給するものである。但し、室内機３に別途搭載する電気ヒータ等の動作用電源は電源装置７とは別に室内機３に設けられることもある。１０はリモートコントローラ（以下、リモコンと略称する）、１１はリモコン接続配線であり室内機制御機器４ａに接続される。１３は上位の集中管理制御機器、１２はパッケージエアコンシステムを上位の集中管理制御機器１３に接続するためのインターフェースである。集中管理制御機器１３は空調システム全体を管理するために必要に応じて接続されるが、通常、本図に示すように熱源機である室外機１の室外機制御機器２に接続して、室外機１側からシステム全体を制御する形態がとられている。
【０００３】
次に動作について説明する。図１０で示したシステムは、主として店舗用空調等のような１馬力〜５馬力程度の比較的小形から中形のパッケージエアコンに適用される。これらの店舗用空調システムは、圧縮機８を搭載する熱源機を室外側に置き、冷媒配管で室内機３と接続して空調を行うスプリット形の機器配置をとるのが主流となっている。このため、室内機３は室内に必要風量を供給するだけの室内送風機９ｂ、利用側熱交換器を搭載して、室内で要求される設置形態に見合った筐体を有するものであれば良い。すなわち、図１０で示したように、システムへの電源供給は電気ヒータ等の比較的大きな電力供給を必要とする機器の付加を除けば、室外機１側の１個所から十分にまかなえていた。また、制御仕様も必要最小容量のヒータや加湿器等の付加機器、及び集中管理等の制御機器への接続を想定し、予め決められた入出力制御に限定されていたため、市場における付加的な制御変更等には対応できないのが一般的である。室外機１及び室内機３間は電源用配線６及び室内外制御機器間の接続配線５で接続してシステムを動作させるようになっている。こういった形態は店舗空調等のように簡易な設置が要求される場所でのメリットになる。その反面、室内機３への付加機器の増設は困難であるため、店舗以外の各種工場や機械室、倉庫といった設備空調ゾーンにおいて、汎用的な付加機器接続や制御上の受注仕様が要求される室内機の形態を持たせることは困難であった。
【０００４】
図１１は、従来の設備用空調システムを示す概略構成図である。図において、室内機３はリレーシーケンスを主とした室内機制御機器４ｂを搭載し、この室内機制御機器４ｂに同じく室内機３に搭載の圧縮機８、室内送風機９ｂ等が接続されている。１４は操作部であり、空調運転スイッチや設定温度スイッチ等を有している。２ａは室外機制御機器であり、室外送風機９ａ接続用の端子部か、または室外送風機９ａ制御用のファンコントローラ等を備える場合があるが、ほとんどは室内機制御機器４ｂからの制御信号を受けるための中継を担っている。１５は入出力用端子、１６はシステム外部に設置された計装盤等との間で入出力される外部入出力信号を示す。
【０００５】
次に動作について説明する。従来の汎用パッケージエアコンに代表される設備用空調システムは、室内機３の空調能力に合わせて必要な圧縮容量を持つ圧縮機８と室内機送風機９ｂが搭載され、熱源機を室内機３に備えるリモートコンデンサ方式が主流である。これに合わせて、電源装置７や主要な制御機器は室内機３に搭載されている。室内機制御機器４ｂは従来からマイコン非搭載の形態を取ることが多いが、必要に応じてシーケンサ等の制御機器で構成されることもある。その場合、電気回路はリレーシーケンスが主であるから、制御信号は２００ＶクラスのＯＮ／ＯＦＦ信号で受け渡しされ、圧縮機８等のアクチュエータもシーケンス回路動作によって制御される。
【０００６】
前記のリレーシーケンスは改造が容易なため、システム外部の現地計装からの外部入出力信号１６への対応は、汎用的な付加機器や制御上の受注仕様も含めて、設置自由度がかなり高い。その反面、集中管理等のような上位制御機器と接続したり、空調温度表示や故障表示などの対応は困難である。
一方、店舗から工場等といったように空調要求が重複する５馬力から２０馬力ゾーンの空調においては、従来の店舗用空調システムと、ダクト用室内機を持つ設備用空調システムとが混在している。また、設備用空調システムは、上記で示したように、従来から熱源機の機能を室内機３に持たせるリモートコンデンサ形が主流であったが、双方の空調システムの熱源機を共用することを目的に、次第にスプリット形の形態へ移行する傾向にあり、店舗用空調と設備用空調はこれらへの対応機器形態としての融合が見られるようになってきている。
【０００７】
【発明が解決しようとする課題】
従来例として示した、前者の店舗用パッケージエアコンのシステム構成は、室内機が室内に必要風量を供給するだけの室内送風機、利用側熱交換器を搭載して、室内で要求される設置形態に見合った筐体を有する仕様となっており、制御仕様も必要最小容量のヒータや加湿器等の付加機器、及び集中管理等の制御機器への接続を想定した仕様に限定されていた。これは、店舗空調等の簡易な設置が要求される場所での省工事性等のメリットになる反面、室内機への付加機器の増設が困難になる。そのため、店舗以外の各種工場や機械室、倉庫といった設備用空調ゾーンにおいて、汎用的な付加機器接続や制御上の受注仕様が要求される室内形態を持たせることは難しかった。従って、現地のアナログ信号を主とした計装機器設備からの信号取込（ＯＮ／ＯＦＦやサーモリレー信号など）が難しく、空調機のリニューアル時などに現地計装システムを新たな空調機に適用することができなかった。
【０００８】
一方、後者の設備用空調システムのように、汎用的な付加機器接続や制御上の受注仕様が要求される室内形態を有する室内機は、室内機側の制御系が汎用的な非マイコン搭載型の制御機器形態（主としてリレーシーケンス制御やシーケンサ搭載制御）をとることが多いため、店舗用空調機のようなマイコン制御の閉じた制御系に適用することは困難であった。
従って、店舗用空調と設備用空調のシステム形態の共通化、共有化を図るためには、店舗用空調ゾーンにおいて要求される簡易空調の室内機形態と、設備用空調ゾーンで要求される汎用的な付加機器接続や制御上の受注仕様対応の室内機形態の両形態を具備した空調システムを提供する必要がある。
【０００９】
本発明は、前記のような問題点を解消し訴求点を満足するために為されたもので、店舗用空調ゾーンで要求される簡易空調の室内機形態と、設備用空調ゾーンで要求される汎用的な付加機器接続や制御上の受注仕様対応の室内機形態の両方を具備した室内機制御、及びこれに接続可能な熱源機（室外機）を含めた空気調和システムの提供を目的としている。
【００１０】
【課題を解決するための手段】
上記目的を達成するために、本発明に係る空気調和システムは、冷媒回路の一部を構成する、圧縮機、非利用側熱交換器、冷媒絞り装置、非利用側熱交換器に送風する室外送風機、ならびに、圧縮機、冷媒絞り装置、および室外送風機を制御するマイコン搭載の室外機制御機器を備えた複数台の室外機と、冷媒回路の一部を構成する、利用側熱交換器、利用側熱交換器に室内空気を送風する室内送風機、室内送風機を制御するマイコン搭載の室内機制御機器、および、室内送風機が送風する空気の温度を検出して温度信号を送信する吸込空気温度検出手段とを備えた室内機とを接続して成り、システム内部での運転操作指令、運転状態表示、温度検知等に係る信号を室内機制御機器に入出力するシステム内信号入出力手段を有する空気調和システムにおいて、システム外部からの運転操作指令、運転状態表示、温度検知等に係る信号を室内機制御機器に入出力するシステム外信号入出力手段を設け、また、室内機制御機器には、複数台の室外機と通信接続可能な室内側接続ポートと、室内機に接続された室外機の台数または冷媒回路数に応じた数で設置された外部温度検出手段から、検出した温度を高低により段階的に表した温度信号を取り込むように設けられた複数の外部取込ポートと、外部取込ポートに取り込まれた温度信号の検知パターンに基づいて、複数台の室外機のうち、運転を行わせる室外機を決定し、決定した室外機の室外機制御機器に運転動作信号を送って冷媒回路の容量制御を行う室外機制御手段とを設け、室外機制御機器には、室内機と通信接続可能な室外側接続ポートを設け、室内側接続ポートと室外側接続ポートとを連結する連絡配線とを設けたものである。
【００１１】
また、前記構成において、室内機制御機器は、冷媒回路の容量制御を行うとともに、吸込空気温度検出手段から送信された温度信号に基づいて、室内機における運転状態を監視するものである。
【００１２】
そして、前記構成における外部温度検出手段が外部取込ポートに正しく接続されているか否かを判定する接続判定手段を備えているものである。
【００１３】
更には、前記の各構成において、電源装置を、室外機と室内機の各々に設けたものである。
【００１４】
また、前記の各構成において、複数の室外機と室内機を集中管理する集中管理制御機器と接続するための接続ポートを、室内機制御機器に設けたものである。
【００１５】
【発明の実施の形態】
以下、本発明の実施の形態を図に基いて詳細説明する。尚、従来例と重複する部位については説明を省略することがある。
【００１６】
発明の実施の形態１．
図１は本発明の実施形態１に係る空気調和システムの冷媒回路と制御回路を示す概略構成図である。図に示した空気調和システムは、圧縮機８、非利用側熱交換器２０、冷媒絞り装置１９、非利用側（室外側）熱交換器２０に送風する室外送風機９ａ、ならびに、圧縮機８、冷媒絞り装置１９、および室外送風機９ａを制御するマイコン２３搭載の室外機制御機器２を備えた室外機１と、利用側（室内側）熱交換器２１、利用側熱交換器２１に室内空気を送風する室内送風機９ｂ、および、室内送風機９ｂを制御するマイコン２４ａ搭載の室内機制御機器４ａを備えた室内機３とから構成されている。
そして、このシステムの冷媒回路は、圧縮機８、四方切換弁１７、非利用側熱交換器２０、冷媒絞り装置１９、利用側熱交換器２１、四方切換弁１７、アキュームレータ１８がそれぞれ冷媒回路２２を介し順次環状に接続して構成されている。
また、制御回路構成において、２３は室外機制御機器２に搭載されたマイコン制御基板、２４は室内機制御機器４ａに搭載された外部接続用端子付きのマイコン制御基板を示す。
【００１７】
この空気調和システムでは、圧縮機８を搭載する熱源機の機能を室外機１側に持たせ、冷媒配管２２で室内機３と接続して空調を行うスプリット形の機器配置をとっている。因みに、室外機１の共通冷媒回路化の観点から、店舗から工場等の空調要求が重複する５馬力から２０馬力ゾーンの空調における冷媒回路が主流となる傾向にある。図１において、利用側熱交換器２１や冷媒絞り装置１９が別の容量であったり他の構成が負荷されていても、室内機３側の冷媒回路の構成内容がほぼ同一または同等であれば、搭載制御機器に相違が生じても、冷媒回路としての機能、性能は満足する。一方、空調能力の大きなシステムへの適用としては、上記で示した冷媒回路を複数有し、１台の室内機３に対し複数台の熱源機（室外機１，１，１）を並列接続したシステムに関しても同様である。
運転操作や表示の指令はリモコン１０からの操作で行い、室内機制御機器４ａから室内機３内の各アクチュエータ及び接続配線５を経て室外機制御機器２へ信号通信によって制御動作に関する指令・応答が伝達され、室外機１側の圧縮機８等のアクチュエータへは室外機制御機器２から運転命令が伝達される。
【００１８】
図２は本発明の実施形態１に係る空気調和システムのシステム構成を示す概念図である。
図において、２４はマイコン搭載で室内機制御機器４ａを主に構成するマイコン制御基板、２６はマイコン制御基板２４からの出力信号を受けて動作する室内送風機９ｂ等の室内機アクチュエータ、２７は室内空気温度を検知する室内機３内蔵のサーミスタ、２８は空調機外部の計装機器から送信される空調機運転制御指令等の外部操作入力、２９は機械式サーモ等に代表されるシステム外部の温度検出手段からの温度信号入力、３０はシステム外部へ出力される運転表示・異常表示等の外部表示出力、３４はシステム内部でのリモコン１０の運転操作指令や運転状態表示、サーミスタ２７からの温度検知等に係る信号を室内機制御機器４ａに入出力するシステム内信号入出力手段、３５はシステム外部からの運転操作指令の外部操作入力２８、運転状態の外部表示出力３０、温度検知の外部サーモに２９等に係る信号を室内機制御機器４ａに入出力するシステム外信号入出力手段、２５は室内機制御機器４ａに入出力される入出力信号を、システム内信号入出力手段３４の信号とシステム外信号入出力手段３５の信号とに切り換える入出力信号切換手段である。
【００１９】
上記に示したように、システム内部に予め搭載されたシステム内信号入出力手段３４と、システム外部に対するシステム外信号入出力手段３５と、これらの信号入出力を切り換える入出力信号切換手段２５とを備えることによって、通常は運転操作及び表示をリモコン１０、吸込空気温度検出をサーミスタ２７によってシステムの運転入出力を行っているが、これらを入出力信号切換手段２５によってシステム外部からの操作入力２８、外部サーモ入力２９、外部表示出力３０に切り換えることができる。これにより、運転操作については室内機３内蔵のリモコン１０と外部からの外部操作入力２８、温度入力については利用側吸込空気温度検出手段として室内機３内蔵の温度検出手段２７（サーミスタ）とシステム外部の温度検出手段２９（外部サーモ）といった、双方からの入出力信号を任意に使い分けるといったことが可能になる。かかる機能は、本例に示したような同一の制御機器への入出力手段を設けることと、制御機器が入出力ポートを有することによって実現が可能である。
そして、１台の室内機３に室外機１が複数台並列接続され、個々の運転によって室内機３側の空調運転能力の容量制御を行うような場合には、室内機制御機器４ａに、個々の室外機１，１，１に対応した複数の入出力ポートを設けることで、同様のシステム制御が可能である。
【００２０】
図３は、図２で示した入出力切換機能を持つマイコン制御基板２４及びこれと接続入出力との関係を、サーモ入力と表示出力について更に具体的に示した室内機制御機器の構成図である。
１０ａはリモコン１０をマイコン制御基板２４に接続するためのリモコン接続ポート、２４ａはマイコン制御基板２４に搭載されたマイコンである。２５は入出力信号切換手段であり、例えばディップスイッチやトグルスイッチ等のリレー接点保持可能な切換スイッチで実現される。２７ａはサーミスタ２７をマイコン制御基板２４に接続するためのサーミスタ接続ポート、２９ａは外部サーモ接点２９ｂをマイコン制御基板２４に接続するための外部サーモ接続ポート、３０ａは外部表示出力接点３０ｂをマイコン制御基板２４に接続するためのリモコン接続ポートである。
【００２１】
以上のように構成したことで、入出力信号切換手段２５の操作によって、サーミスタ２７による温度検知を外部サーモ接点２９ｂのＯＮ／ＯＦＦ信号による温度検知に変更することが可能となる。また、マイコン制御基板２４からリモコン１０への表示出力を外部表示接点３０ｂへの出力に変更することが可能になる。すなわち、外部機械サーモの温度開閉や計装機器の運転開閉などの接点信号をマイコン制御基板２４に取りこみ、これをマイコン２４ａ内の制御アルゴリズムによってアクチュエータ動作に変換することや、マイコン２４ａが認識する制御動作を外部への接点出力に変換することができる。
従って、現地のアナログ信号を主とした計装機器設備からの信号取込み（ＯＮ／ＯＦＦやサーモリレー信号など）を、そのまま空調機のリニューアル時などに新たな空調機に適用することができるようになる。延いては、設備用空調ゾーンで要求される汎用的な付加機器接続や制御上の受注仕様対応の室内機形態と店舗用空調ゾーンで要求される簡易空調の室内機形態の両方を具備した空調システムを得ることができる。
これらにより、現地設置工事費用を最小限に抑えることができ、またリレー計装に加えてマイコン２４ａによるデジタル表示やサーモ検出手段も実現可能になり、操作性やサービス性が向上する。
【００２２】
発明の実施の形態２．
図４は、システム外部からのサーモ接点信号を受けて、室内機制御基板２４上のマイコン２４ａから複数台の熱源機（室外機１，１，１）へ運転出力を行うようにした制御機器の例を示す構成図である。
この空気調和システムは、室内機制御機器４ａのマイコン制御基板２４に設けられて３台の室外機１，１，１と通信接続可能な室内側接続ポート３２と、それぞれの室外機１に設けられて室内機３と通信接続可能な室外側接続ポート３６と、室内側接続ポート３２と室外側接続ポート３６とをそれぞれ連結する連絡配線３７と、室内機３に接続された室外機１，１，１の台数または冷媒回路数に応じた数で設置された外部温度検出手段２９（外部サーモ）からの温度信号を取り込むように室内機制御機器４ａに設けられた複数の外部取込ポート３１，３１，・・・を有している。
外部取込ポート３１は外部サーモの高段、低段等のステップ数に応じて、接続数や接続位置が設定される。また、室外側接続ポート３２は室外機１の接続台数、すなわち容量制御可能台数によって接続数が設定される。動作としては、冷房や暖房運転時に、外部サーモ出力２９のＯＮ／ＯＦＦによって、室外機１への運転ＯＮ／ＯＦＦ動作をマイコン２４ａが判断し、予め決められた制御アルゴリズムに従って各室外機１への運転動作信号が発信される。すなわち、マイコン２４ａは、本発明の室外機制御手段として、それぞれの外部取込ポート３１，３１，・・・に取り込まれた温度信号に基づいて各室外機１，１，１を運転制御するのである。
【００２３】
図５は図４で示した入出力システムにおいて、外部サーモ入力２９を外部取込ポート３１に接続した場合と、外部サーモ入力２９の外部サーモ接点２９ｂによるステップ制御（高段、中段、低段の３ステップサーモの例）を考慮したＯＮ／ＯＦＦ動作例との関連を示した模式図である。
外部サーモ接点２９ｂは図中の動作例に示すように、例えば冷房運転時に検知温度の高低により外部サーモ接点２９ｂの開閉が段階的に（たとえば２℃差程度）ずれて作動する。かかる外部サーモ接点２９ｂのＯＮ／ＯＦＦを外部取込ポート３１から検知することで、マイコン２４ａは現在の吸込温度が要求温度に対して高いか、低いか、どの段階かを判別することができ、この情報を自らの持つ、室外機１，１，１をどのような順序で運転させるかに係るアルゴリズムに従って、室外機１への運転動作信号を演算し室内側接続ポート３２及び室外側接続ポート３６を経て発信する。
【００２４】
図６は、図５で示した外部サーモ接点２９ｂのＯＮ／ＯＦＦ検知パターンを、複数台の室外機１，１，１（ここでは、例えば３台）への運転出力パターンに置き換えた制御動作の一例を示す模式図である。
例えば、冷房運転においてサーモポート（１）〜（３）（外部取込ポートの例）がすべてＯＮ（（４）〜（６）はすべてＯＦＦ）である場合、室外機Ｎｏ．１〜Ｎｏ．３のすべての運転をＯＮとする（容量制御は１００％）。同様に，サーモポート（３）のみＯＮの場合は、室外機（３）のみをＯＮとする（容量制御は３３％）。これらの相関をマイコン２４ａが判断して運転動作出力に変えるのである。
本システムにより、マイコンに依らない機械式サーモリレー信号や外部のデマンド信号を用いた運転制御が可能となり、利便性や設置工事の簡便性を増大させることができる。
また、上記に示した外部サーモ接点２９ｂからの外部サーモ入力２９と、外部操作入力２８、外部表示出力３０、リモコン１０に対する入出力、及びサーミスタ２７からの入力とを適宜組み合せることにより、あらゆる入出力パターンに対応して現地要求操作仕様を満足する順応性の高いシステムを得ることが可能となる。
【００２５】
発明の実施の形態３．
図７は、図６で示した例における外部取込ポート３１に対し外部サーモ接点２９ｂを誤接続した場合の接続判定手段２４ａ（マイコン２４ａの持つ機能のひとつ）を説明した模式図であり、簡単のために２ステップサーモの場合を例にしている。
図において、正常例は外部サーモ接点２９ｂが正常に接続された状態を示している。この場合、外部サーモの接点信号のＯＮ／ＯＦＦ情報を正確に容量制御に変換できているため、接続判定手段２４ａは正常接続と判定する。一方、異常例１では、２ステップの片側サーモ接点が接続されなかった場合を示している。この場合、サーモポート（３），（４）はいずれもＯＦＦを検出することから、マイコン２４ａの機能として、外部サーモ接点２９ｂの同一ステップ部分の接続されるサーモポート（ここでは（３），（４））の双方のＯＮ（またはＯＦＦ）の検知を禁止させる（エラーとする）ことで、誤接続を検出することができる。異常例２では、サーモポート（３），（４）に接続すべきサーモステップの接点を逆に接続した場合を示している。この場合、正常例におけるＯＮ／ＯＦＦパターン以外のパターンを検出したときエラーと判断するようにすることで、誤接続の判定ができる。すなわち、マイコン２４ａは、本発明の接続判定手段として、外部温度検出手段２９ｂ（外部サーモ接点）が外部取込ポート３１に正しく接続されているか否かを判定するのである。
システム外に対する外部入出力等の回路接続時は、接続ミスや忘れ等、誤接続がある程度想定され、機器運転への支障や安全性への影響が多大になることも予測される。このような事態を避けるため、上記のような誤接続を検出する接続判定手段を設けることが重要になり、これによって工事・試運転段階でのミスの発見が早期に可能となり、不要な費用の削減やサービス性向上に寄与し得る。
【００２６】
発明の実施の形態４．
図８は、本発明の実施形態４に係る空気調和システムにおいて室外機１及び室内機３の電源構成を示す構成図である。図において、３３は室内の空調設備要求に合せて付加的に組み込まれる、例えば電気ヒータや加湿器等といった付加機器を示している。特に、１０馬力から３０馬力クラスの空調機において、電気ヒータなどの負荷容量が大きい機器では、室内機３側に電源装置７を固有に持たせることが必要であり、室内外機間の接続配線５に大きな負荷容量を持たせることは困難である。
そこで、図に示すように室内外機のそれぞれに電源供給を行う別々の電源装置７，７を設けた。ここでは、室外機１の共通化のため、室内機３側の制御が何であっても、室内外機個別の電源装置７，７を有することにしてある。これにより、設置自由度が増大するという効果をもたらす。
【００２７】
発明の実施の形態５．
図９は、本発明の実施形態５に係る空気調和システムにおいて集中管理制御機器との制御回路構成を示す構成図であり、室内機３の１台設置に対する室外機１，１，１の複数台接続が主流の設備用空調システムの集中管理形態を示したものである。図において、１は室外機、２は室外機１に設けられたマイコン搭載の室外機制御機器、３は室内機、４ｃは室内機３に設けられたマイコン搭載の室内機制御機器、５は接続配線、１０はリモコン、１３は空気調和システム全体を管理するための集中管理制御機器、１２は集中管理制御機器１３と室内機制御機器４ｃとを通信接続するためのインターフェースである。
【００２８】
この空気調和システムでは、室外機１，１，１及び室内機３を集中管理する集中管理制御機器１３と接続するための接続ポート３８が、室内機制御機器４ｃに設けられている。この場合、室内機３側のマイコンとの通信機能により室内外機の運転状態把握や運転指令を授受できるから、室内機制御機器４ｃに集中管理機器１３とのインターフェース１２の機能を持たせるのが、各室外機１の状態を監視し易く、運転指令が室内機３側からであるためリモコン１０との連動も可能であってサービス性が向上し、インターフェースも単体で低コストで済む等により有益である。
【００２９】
【発明の効果】
以上に示したように、本明細書におけるそれぞれの発明により、下記の効果を得ることができる。
【００３０】
すなわち、本発明に係る空気調和システムは、システム外部の信号を入出力するシステム外信号入出力手段と、システム内部の信号を入出力するシステム内信号入出力手段とが、入出力信号切換手段により切り換えられ、切り換えられたシステム内信号入出力手段の信号またはシステム外信号入出力手段の信号に基づいて、冷媒回路の運転操作指令、運転状態表示、温度検知等を行うようになっているので、現地のアナログ信号を主とした計装機器設備からの信号取込（ＯＮ／ＯＦＦやサーモリレー信号等）を、そのまま空調機のリニューアル時等に現地計装システムを空調機に適用することができるようになる。延いては、設備用空調ゾーンで汎用的な付加機器接続や制御上の受注仕様対応が要求される室内機形態の両方を具備した空調システムを得ることが可能となる。これらにより、現地設置工事費用を最小限に抑えることができる。そのうえ、リレー計装に加えて、マイコンによるデジタル表示やサーモ検出手段も可能になり、操作性やサービス性が向上する。
【００３１】
また、室内機に接続された室外機の台数または冷媒回路数に応じた数で設置された外部温度検出手段からの温度信号が、室内機制御機器に設けられた複数の外部取込ポートに取り込まれ、それぞれの外部取込ポートへ取り込まれた温度信号に基づいて室外機制御手段により各室外機が運転制御されるので、マイコンに依らない機械式サーモリレー信号や外部のデマンド信号による運転制御が可能となり、利便性や設置工事の簡便性を増大させることができる。加えて、上記に示した外部サーモ検出手段と外部操作入力、外部表示出力、リモコン入出力、及びサーミスタ入力を適宜組み合せることにより、あらゆる入出力パターンに対応した現地要求操作仕様への順応性の高いシステムを得ることが可能である。
【００３２】
そして、接続判定手段により、外部温度検出手段が外部取込ポートに正しく通信接続されているか否かが判定されるので、工事や試運転段階での接続ミスの発見が早期に可能であり、不要な費用の削減やサービス性向上に寄与することができる。
【００３３】
更に、電源装置を室外機と室内機の各々に別個独立に設けたので、設置自由度の増大効果が大いに期待できる。
【００３４】
また、複数の室外機と室内機を集中管理する集中管理制御機器と通信接続するための接続ポートが、設備用空調システムとして中枢となる室内機制御機器に設けられているので、設置が簡易であり、インターフェースも単体で低コストで済む、各室外機または室内機の状態を監視し易いといったサービス性の向上等により有益である。
【図面の簡単な説明】
【図１】  本発明の実施形態１に係る空気調和システムの冷媒回路と制御回路を示す概略構成図である。
【図２】  実施形態１における制御構成の詳細を示す構成図である。
【図３】  実施形態１におけるサーモ入力と表示出力について更に具体的に示した構成図である。
【図４】  本発明の実施形態２に係る空気調和システムの制御構成の詳細を示す構成図である。
【図５】  実施形態２における外部サーモのステップ制御を考慮したＯＮ／ＯＦＦ動作例を示す模式図である。
【図６】  実施形態２において複数台の室外機への運転出力パターンに置き換えた制御動作の例を示す模式図である。
【図７】  本発明の実施形態３に係る空気調和システムの外部サーモの接続判定手段を説明するための模式図である。
【図８】  本発明の実施形態４に係る空気調和システムの室外機及び室内機の個別電源構成を示す構成図である。
【図９】  本発明の実施形態５に係る空気調和システムの集中管理制御機器との制御構成を示す構成図である。
【図１０】  従来の店舗用空気調和システムを示す概略構成図である。
【図１１】  従来の設備用空気調和システムを示す概略構成図である。
【符号の説明】
１  室外機、２  室外機制御機器、３  室内機、４ａ  室内機制御機器、５  接続配線、６  電源用配線、７  電源装置、８  圧縮機、９ａ  室外送風機、９ｂ  室内送風機、１０  リモートコントローラ、１０ａ  接続ポート、１３  集中管理制御機器、１９  冷媒絞り装置、２０  非利用側熱交換器、２１  利用側熱交換器、２２  冷媒配管、２３  マイコン制御基板、２４  マイコン制御基板、２４ａ  マイコン、２５  入出力信号切換手段、２６  室内機アクチュエータ、２７  サーミスタ、２７ａ  接続ポート、２８  外部操作入力、２９  外部サーモ入力、２９ａ  接続ポート、２９ｂ  外部サーモ接点、３０  外部表示出力、３０ａ  接続ポート、３０ｂ  外部表示出力接点、３１  外部取込ポート、３２  室内側接続ポート、３４  システム内信号入出力手段、３５  システム外信号入出力手段、３６  室外側接続ポート、３７  連絡配線、３８  接続ポート。
【図１】
0004448256.tif 000002
【図２】
0004448256.tif 000003
【図３】
0004448256.tif 000004
【図４】
0004448256.tif 000005
【図５】
0004448256.tif 000006
【図６】
0004448256.tif 000007
【図７】
0004448256.tif 000008
【図８】
0004448256.tif 000009
【図９】
0004448256.tif 000010
【図１０】
0004448256.tif 000011
【図１１】
0004448256.tif 000012